【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
前記第１および第２の駆動信号を生成する第１の駆動部と、
前記第３および第４の駆動信号を生成する第２の駆動部と、
前記電流検出抵抗に発生する電圧信号を整流して帰還する帰還部と、
前記帰還部からの電圧信号を受けて、前記第１および第２の駆動部にそれぞれ第１および第２の制御信号を出力する制御部とを備え、
前記制御部は、
前記帰還部からの電圧信号をデジタル値の電流検出データに変換するＡ／Ｄコンバータと、
前記Ａ／Ｄコンバータからの電流検出データを基準データと比較する比較手段と、
前記比較手段による比較結果に基づいて、前記第１の制御信号と前記第２の制御信号の位相差を変化させる位相制御手段とを備え、
前記冷陰極蛍光管の点灯開始時には、前記第１および第２の制御信号の周波数を所定の周波数に固定し、前記第１の制御信号と前記第２の制御信号との位相差を、前記圧電トランスの出力電力が略ゼロから所定の出力電力となるように制御し、
前記冷陰極蛍光管の点灯後は、前記電流検出データが前記基準データに略一致するように、前記第１の制御信号と前記第２の制御信号との位相差を制御することを特徴とする圧電トランスの駆動回路。
【請求項２】  前記制御部は、前記駆動回路の起動時に、２段階以上の位相掃引速度で、前記第１の制御信号と前記第２の制御信号の位相差を制御することを特徴とする請求項１記載の圧電トランスの駆動回路。
【請求項３】  前記制御部は、前記冷陰極蛍光管が半点灯となるまで第１の位相掃引速度にて掃引を行い、前記冷陰極蛍光管の発光輝度が設定値となるまで第２の掃引速度にて掃引を行うことを特徴とする請求項２記載の圧電トランスの駆動回路。
【請求項４】  前記第１の位相掃引速度は前記第２の位相掃引速度よりも速いことを特徴とする請求項３記載の圧電トランスの駆動回路。
【請求項５】  前記制御部は、前記冷陰極蛍光管のインピーダンスに応じて位相差の時間に対する変化率を変化させることを特徴とする請求項２記載の圧電トランスの駆動回路。
【請求項６】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
前記第１および第２の駆動信号を生成する第１の駆動部と、
前記第３および第４の駆動信号を生成する第２の駆動部と、
前記電流検出抵抗に発生する電圧信号を整流して電流検出値として帰還する帰還部と、
前記帰還部からの電流検出値を基準電圧値と比較する比較手段と、
前記比較手段からの比較結果を受けて、前記第１および第２の駆動部にそれぞれ第１および第２の制御信号を出力する制御部とを備え、
前記制御部は、
前記比較手段による比較結果に基づいて、前記第１の制御信号と前記第２の制御信号の位相差を変化させる位相制御手段を備え、
前記冷陰極蛍光管の点灯開始時には、前記第１および第２の制御信号の周波数を所定の周波数に固定し、前記第１の制御信号と前記第２の制御信号との位相差を、前記圧電トランスの出力電力が略ゼロから所定の出力電力となるように制御し、
前記冷陰極蛍光管の点灯後は、前記電流検出値が前記基準電圧値に略一致するように、前記第１の制御信号と前記第２の制御信号との位相差を制御することを特徴とする圧電トランスの駆動回路。
【請求項７】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
第１の制御信号を受けて前記第１および第２の駆動信号を生成する第１の駆動部と、
第２の制御信号を受けて前記第３および第４の駆動信号を生成する第２の駆動部と、
前記電流検出抵抗に発生する電圧信号を整流して帰還する帰還部とを用いた前記圧電トランスの駆動方法であって、
前記冷陰極蛍光管の点灯開始時には、前記第１および第２の制御信号の周波数を所定の周波数に固定するステップと、
前記第１の制御信号と前記第２の制御信号との位相差を、前記圧電トランスの出力電力が略ゼロから所定の出力電力となるように制御するステップとを含み、
前記冷陰極蛍光管の点灯後は、
前記帰還部からの電圧信号に対応する電流検出データを基準データと比較するステップと、
前記電流検出データが前記基準データに略一致するように、前記第１の制御信号と前記第２の制御信号との位相差を制御するステップとを含むことを特徴とする圧電トランスの駆動方法。
【請求項８】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
前記第１および第２の駆動信号を生成する第１の駆動部と、
前記第３および第４の駆動信号を生成する第２の駆動部と、
前記電流検出抵抗に発生する電圧信号を整流して帰還する帰還部と、
前記帰還部からの電圧信号を受けて、前記第１および第２の駆動部にそれぞれ第１および第２の制御信号を出力する制御部とを備え、
前記制御部は、
前記帰還部からの電圧信号をデジタル値の電流検出データに変換するＡ／Ｄコンバータと、
前記Ａ／Ｄコンバータからの電流検出データを第１または第２の基準データと比較する比較手段と、
前記比較手段による比較結果に基づいて、前記第１の制御信号と前記第２の制御信号の位相差を変化させる位相制御手段とを備え、
前記冷陰極蛍光管の点灯開始時には、前記第１および第２の制御信号の周波数を第１の周波数に固定し、前記第１の制御信号と前記第２の制御信号との位相差を、前記圧電トランスの出力電力が略ゼロから所定の出力電力となるように制御し、前記電流検出データが前記第１の基準データ以上となった場合、前記第１および第２の制御信号の周波数を第２の周波数に固定し、前記電流検出データが前記第２の基準データに略一致するように、前記第１の制御信号と前記第２の制御信号との位相差を制御することを特徴とする圧電トランスの駆動回路。
【請求項９】  前記第１の周波数は前記第２の周波数よりも高いことを特徴とする請求項８記載の圧電トランスの駆動回路。
【請求項１０】  前記制御部は、２段階以上の位相掃引速度で、前記第１の周波数に固定された前記第１の制御信号と前記第２の制御信号の位相差を制御することを特徴とする請求項８記載の圧電トランスの駆動回路。
【請求項１１】  前記制御部は、前記第１の周波数に固定された前記第１の制御信号と前記第２の制御信号の位相差制御において、所定の時間内に、前記電流検出データが前記第１の基準データに達しなかった場合、前記第１の制御信号と前記第２の制御信号の周波数を、前記第１の周波数よりも低く且つ前記圧電トランスの無負荷時の共振周波数よりも高い周波数に変更することを特徴とする請求項８記載の圧電トランスの駆動回路。
【請求項１２】  前記制御部は、前記周波数の変更幅を、前記圧電トランスの共振周波数に近づくに連れて小さくすることを特徴とする請求項１１記載の圧電トランスの駆動回路。
【請求項１３】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
前記第１および第２の駆動信号を生成する第１の駆動部と、
前記第３および第４の駆動信号を生成する第２の駆動部と、
前記電流検出抵抗に発生する電圧信号を整流して電流検出値として帰還する帰還部と、
前記帰還部からの電流検出値を第１の基準電圧値と比較する第１の比較手段と、
前記帰還部からの電流検出値を第２の基準電圧値と比較する第２の比較手段と、
前記第１または第２の比較手段からの比較結果を受けて、前記第１および第２の駆動部にそれぞれ第１および第２の制御信号を出力する制御部とを備え、
前記制御部は、
前記第１または第２の比較手段による比較結果に基づいて、前記第１の制御信号と前記第２の制御信号の位相差を変化させる位相制御手段を備え、
前記冷陰極蛍光管の点灯開始時には、前記第１および第２の制御信号の周波数を第１の周波数に固定し、前記第１の制御信号と前記第２の制御信号との位相差を、前記圧電トランスの出力電力が略ゼロから所定の出力電力となるように制御し、前記電流検出値が前記第１の基準電圧値以上となった場合、前記第１および第２の制御信号の周波数を第２の周波数に固定し、前記電流検出値が前記第２の基準電圧値に略一致するように、前記第１の制御信号と前記第２の制御信号との位相差を制御することを特徴とする圧電トランスの駆動回路。
【請求項１４】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
第１の制御信号を受けて前記第１および第２の駆動信号を生成する第１の駆動部と、
第２の制御信号を受けて前記第３および第４の駆動信号を生成する第２の駆動部と、
前記電流検出抵抗に発生する電圧信号を整流して帰還する帰還部とを用いた前記圧電トランスの駆動方法であって、
前記冷陰極蛍光管の点灯開始時には、
前記第１および第２の制御信号の周波数を第１の周波数に固定するステップと、    前記第１の制御信号と前記第２の制御信号との位相差を、前記圧電トランスの出力電力が略ゼロから所定の出力電力となるように制御するステップと、
前記帰還部からの電圧信号に対応する電流検出データを第１の基準データと比較するステップと、
前記電流検出データが前記第１の基準データ以上となった場合、前記第１および第２の制御信号の周波数を第２の周波数に固定するステップと、
前記電流検出データを第２の基準データと比較するステップと、
前記電流検出データが前記第２の基準データに略一致するように、前記第１の制御信号と前記第２の制御信号との位相差を制御するステップとを含むことを特徴とする圧電トランスの駆動方法。
【請求項１５】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
前記第１および第２の駆動信号を生成する第１の駆動部と、
前記第３および第４の駆動信号を生成する第２の駆動部と、
前記電流検出抵抗に発生する電圧信号を整流して帰還する帰還部と、
前記帰還部からの電圧信号を受けて、前記第１および第２の駆動部にそれぞれ第１および第２の制御信号を出力する制御部とを備え、前記制御部は、
前記帰還部からの電圧信号をデジタル値の電流検出データに変換するＡ／Ｄコンバータと、
前記Ａ／Ｄコンバータからの電流検出データを第１または第２の基準データと比較する比較手段と、
前記比較手段による比較結果に基づいて、前記第１の制御信号と前記第２の制御信号の位相差を変化させる位相制御手段とを備え、
前記冷陰極蛍光管の点灯開始時には、前記第１の制御信号と前記第２の制御信号との位相差を固定し、前記第１および第２の制御信号の周波数をスタート周波数からストップ周波数へと掃引し、周波数掃引の間に前記電流検出データが前記第１の基準データ以上となった場合、前記周波数掃引は前記ストップ周波数となるまで行い、同時に前記電流検出データが前記第２の基準データに略一致するように、前記第１の制御信号と前記第２の制御信号との位相差を制御することを特徴とする圧電トランスの駆動回路。
【請求項１６】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
前記第１および第２の駆動信号を生成する第１の駆動部と、
前記第３および第４の駆動信号を生成する第２の駆動部と、
前記電流検出抵抗に発生する電圧信号を整流して電流検出値として帰還する帰還部と、
前記帰還部からの電流検出値を第１の基準電圧値と比較する第１の比較手段と、前記帰還部からの電流検出値を第２の基準電圧値と比較する第２の比較手段と、
前記第１または第２の比較手段からの比較結果を受けて、前記第１および第２の駆動部にそれぞれ第１および第２の制御信号を出力する制御部とを備え、
前記制御部は、
前記第１または第２の比較手段による比較結果に基づいて、前記第１の制御信号と前記第２の制御信号の位相差を変化させる位相制御手段を備え、
前記冷陰極蛍光管の点灯開始時には、前記第１の制御信号と前記第２の制御信号との位相差を固定し、前記第１および第２の制御信号の周波数をスタート周波数からストップ周波数へと掃引し、周波数掃引の間に前記電流検出値が前記第１の基準電圧値以上となった場合、前記周波数掃引は前記ストップ周波数となるまで行い、同時に前記電流検出値が前記第２の基準電圧値に略一致するように、前記第１の制御信号と前記第２の制御信号との位相差を制御することを特徴とする圧電トランスの駆動回路。
【請求項１７】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
第１の制御信号を受けて前記第１および第２の駆動信号を生成する第１の駆動部と、
第２の制御信号を受けて前記第３および第４の駆動信号を生成する第２の駆動部と、
前記電流検出抵抗に発生する電圧信号を整流して帰還する帰還部とを用いた前記圧電トランスの駆動方法であって、
前記冷陰極蛍光管の点灯開始時には、
前記第１の制御信号と前記第２の制御信号との位相差を固定するステップと、
前記第１および第２の制御信号の周波数をスタート周波数からストップ周波数へと掃引するステップと、
周波数掃引の間、前記帰還部からの電圧信号に対応する電流検出データを第１の基準データと比較するステップと、
周波数掃引の間に前記電流検出データが前記第１の基準データ以上となった場合、前記周波数掃引は前記ストップ周波数となるまで行うとともに、前記電流検出データを第２の基準データと比較するステップと、
前記電流検出データが前記第２の基準データに略一致するように、前記第１の制御信号と前記第２の制御信号との位相差を制御することを特徴とする圧電トランスの駆動方法。
【請求項１８】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
前記第１および第２の駆動信号を生成する第１の駆動部と、
前記第３および第４の駆動信号を生成する第２の駆動部と、
前記電流検出抵抗に発生する電圧信号を整流して帰還する帰還部と、
前記帰還部からの電圧信号を受けて、前記第１および第２の駆動部にそれぞれ第１および第２の制御信号を出力する制御部とを備え、
前記制御部は、
前記帰還部からの電圧信号をデジタル値の電流検出データに変換するＡ／Ｄコンバータと、
前記Ａ／Ｄコンバータからの電流検出データを第１または第２の基準データと比較する比較手段と、
前記比較手段による比較結果に基づいて、前記第１の制御信号と前記第２の制御信号の位相差を変化させる位相制御手段とを備え、
前記冷陰極蛍光管の点灯開始時には、前記第１の制御信号と前記第２の制御信号との位相差を固定し、前記第１および第２の制御信号の周波数をスタート周波数からストップ周波数へと掃引し、周波数掃引の間に前記電流検出データが前記第１の基準データ以上となった場合、前記第１および第２の制御信号の周波数を所定の周波数に固定し、前記電流検出データが前記第２の基準データに略一致するように、前記第１の制御信号と前記第２の制御信号との位相差を制御することを特徴とする圧電トランスの駆動回路。
【請求項１９】  前記制御部は、前記電流検出データが前記第１の基準データに達するまでは、前記圧電トランスの高次の第１振動モードで駆動制御を行い、その後、前記第１振動モードよりも低次の第２振動モードで駆動制御を行うことを特徴とする請求項１８記載の圧電トランスの駆動回路。
【請求項２０】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、前記第１および第２の駆動信号を生成する第１の駆動部と、
前記第３および第４の駆動信号を生成する第２の駆動部と、
前記電流検出抵抗に発生する電圧信号を整流して電流検出値として帰還する帰還部と、
前記帰還部からの電流検出値を第１の基準電圧値と比較する第１の比較手段と、
前記帰還部からの電流検出値を第２の基準電圧値と比較する第２の比較手段と、
前記第１または第２の比較手段からの比較結果を受けて、前記第１および第２の駆動部にそれぞれ第１および第２の制御信号を出力する制御部とを備え、
前記制御部は、
前記第１または第２の比較手段による比較結果に基づいて、前記第１の制御信号と前記第２の制御信号の位相差を変化させる位相制御手段を備え、
前記冷陰極蛍光管の点灯開始時には、前記第１の制御信号と前記第２の制御信号との位相差を固定し、前記第１および第２の制御信号の周波数をスタート周波数からストップ周波数へと掃引し、周波数掃引の間に前記電流検出値が前記第１の基準電圧値以上となった場合、前記第１および第２の制御信号の周波数を所定の周波数に固定し、前記電流検出値が前記第２の基準電圧値に略一致するように、前記第１の制御信号と前記第２の制御信号との位相差を制御することを特徴とする圧電トランスの駆動回路。
【請求項２１】  直流電源の両端端子に接続され、第１および第２の駆動信号によりそれぞれ交互にオン／オフされる第１および第２のスイッチング手段が直列接続されて成る第１の直列接続体と、
前記第１の直列接続体に並列に接続され、前記第１および第２の駆動信号とそれぞれ同一の周波数およびデューティ比を有する第３の駆動信号および第４の駆動信号によりそれぞれ交互にオン／オフされる第３のスイッチング手段および第４のスイッチング手段が直列接続されて成る第２の直列接続体と、
圧電効果により１次側から入力された電圧を２次側電極から昇圧あるいは降圧して出力する圧電トランスと、
前記第１の直列接続体の各スイッチング手段の接続点と、前記第２の直列接続体の各スイッチング手段の接続点との間に接続され、インダクタと前記圧電トランスの１対の入力電極との第３の直列接続体と、
前記圧電トランスの１対の出力電極間に接続され、冷陰極蛍光管と電流検出抵抗とが直列接続されて成る第４の直列接続体と、
第１の制御信号を受けて前記第１および第２の駆動信号を生成する第１の駆動部と、
第２の制御信号を受けて前記第３および第４の駆動信号を生成する第２の駆動部と、
前記電流検出抵抗に発生する電圧信号を整流して帰還する帰還部とを用いた前記圧電トランスの駆動方法であって、
前記冷陰極蛍光管の点灯開始時には、
前記第１の制御信号と前記第２の制御信号との位相差を固定するステップと、
前記第１および第２の制御信号の周波数をスタート周波数からストップ周波数へと掃引するステップと、
周波数掃引の間、前記帰還部からの電圧信号に対応する電流検出データを第１の基準データと比較するステップと、
周波数掃引の間に前記電流検出データが前記第１の基準データ以上となった場合、前記第１および第２の制御信号の周波数を所定の周波数に固定するステップと、
前記電流検出データを第２の基準データと比較するステップと、
前記電流検出データが前記第２の基準データに略一致するように、前記第１の制御信号と前記第２の制御信号との位相差を制御するステップとを含むことを特徴とする圧電トランスの駆動方法。
【請求項２２】  前記制御部は、前記第１および第２の制御信号の周波数、および前記第１の制御信号と前記第２の制御信号との位相差を、前記圧電トランスの所望の振動モードよりも高い周波数の振動モードに対応する周波数成分を含まないように設定することを特徴とする請求項１から６、８から１３、１５、１６、および１８から２０のいずれか一項記載の圧電トランスの駆動回路。
【請求項２３】  前記第３の直列接続体は、前記圧電トランスの１対の入力電極間に接続されたコンデンサを含む請求項１から６、８から１３、１５、１６、１８から２０、および２２のいずれか一項記載の圧電トランスの駆動回路。
【請求項２４】  前記制御部は、マイクロコンピュータにより制御されることを特徴とする請求項１から６、８から１３、１５、１６、１８から２０、２２および２３のいずれか一項記載の圧電トランスの駆動回路。
【請求項２５】  前記制御部は、１チップ内にマイクロコンピュータと共に搭載されることを特徴とする請求項２４記載の圧電トランスの駆動回路。
【請求項２６】  前記制御部は、前記第１および第２の制御信号の周波数、および前記第１の制御信号と前記第２の制御信号との位相差を、前記圧電トランスの所望の振動モードよりも高い周波数の振動モードに対応する周波数成分を含まないように設定することを特徴とする請求項７、１４、１７および２１のいずれか一項記載の圧電トランスの駆動方法。
【請求項２７】  前記第３の直列接続体は、前記圧電トランスの１対の入力電極間に接続されたコンデンサを含む請求項７、１４、１７、２１および２６のいずれか一項記載の圧電トランスの駆動方法。
【請求項２８】  前記制御部は、マイクロコンピュータにより制御されることを特徴とする請求項７、１４、１７、２１、２６および２７のいずれか一項記載の圧電トランスの駆動方法。
【請求項２９】  請求項１から６、８から１３、１５、１６、１８から２０、２２、および２３から２５のいずれか一項記載の圧電トランスの駆動回路を有するバックライト装置であって、前記冷陰極蛍光管が被照明体を背面から照明するように構成されたことを特徴とするバックライト装置。
【請求項３０】  請求項２９記載のバックライト装置を有する液晶表示装置であって、前記被照明体は液晶パネルであることを特徴とする液晶表示装置。
【請求項３１】  請求項３０記載の液晶表示装置を搭載したことを特徴とする液晶モニタ。
【請求項３２】  請求項３０記載の液晶表示装置を搭載したことを特徴とする液晶テレビ。
【手続補正２】
【補正対象書類名】明細書
【補正対象項目名】００３１
【補正方法】削除
【補正の内容】
【手続補正３】
【補正対象書類名】明細書
【補正対象項目名】００３２
【補正方法】削除
【補正の内容】
【手続補正４】
【補正対象書類名】明細書
【補正対象項目名】００３３
【補正方法】削除
【補正の内容】
【手続補正５】
【補正対象書類名】明細書
【補正対象項目名】００３７
【補正方法】削除
【補正の内容】
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】削除
【補正の内容】
【手続補正８】
【補正対象書類名】明細書
【補正対象項目名】００４３
【補正方法】削除
【補正の内容】
【手続補正９】
【補正対象書類名】明細書
【補正対象項目名】００４４
【補正方法】削除
【補正の内容】
【手続補正１０】
【補正対象書類名】明細書
【補正対象項目名】００４５
【補正方法】削除
【補正の内容】
【手続補正１１】
【補正対象書類名】明細書
【補正対象項目名】００４７
【補正方法】削除
【補正の内容】
【手続補正１２】
【補正対象書類名】明細書
【補正対象項目名】００４８
【補正方法】削除
【補正の内容】
【手続補正１３】
【補正対象書類名】明細書
【補正対象項目名】００４９
【補正方法】削除
【補正の内容】
【手続補正１４】
【補正対象書類名】明細書
【補正対象項目名】００５０
【補正方法】削除
【補正の内容】
【手続補正１５】
【補正対象書類名】明細書
【補正対象項目名】００５１
【補正方法】削除
【補正の内容】
【手続補正１６】
【補正対象書類名】明細書
【補正対象項目名】００５２
【補正方法】削除
【補正の内容】
【手続補正１７】
【補正対象書類名】明細書
【補正対象項目名】００５５
【補正方法】削除
【補正の内容】
【手続補正１８】
【補正対象書類名】明細書
【補正対象項目名】００５６
【補正方法】削除
【補正の内容】
【手続補正１９】
【補正対象書類名】明細書
【補正対象項目名】００５７
【補正方法】削除
【補正の内容】
【手続補正２０】
【補正対象書類名】明細書
【補正対象項目名】００５８
【補正方法】削除
【補正の内容】